(57)【特許請求の範囲】
【請求項１】
部分的並列取得再構成法（ＰＰＡ再構成法）に基づくＭＲＴ画像形成方法において、
複数のコンポーネントコイルによりｋ空間の複数の部分データセットを作成し、部分データセットの全体は完全なｋ空間データセットを形成し、
完全なｋ空間データセットの少なくとも一部に基づいて各コンポーネントコイルのそれぞれのコイル感度を求め、
求められたコイル感度に基づいてＰＰＡ再構成法によって各部分データセットを位置空間に変換し、
アーチファクトの少ない画像データセットを得るために、変換された部分データセットを重ねる
ことを特徴とするＭＲＴ画像形成方法。
【請求項２】
完全なｋ空間データセットは２次元または３次元の形を有することを特徴とする請求項１記載の方法。
【請求項３】
部分データセットが時間的に相前後して取得されることを特徴とする請求項１又は２記載の方法。
【請求項４】
部分データセットの測定は、各変換された部分データセットが独自に最小の運動アーチファクト、歪および信号損失のうちの少なくとも１つを有するように行なわれることを特徴とする請求項１乃至３の１つに記載の方法。
【請求項５】
コイル感度を求めるためにｋ空間データセットの中間範囲が観察されることを特徴とする請求項１乃至４の１つに記載の方法。
【請求項６】
ＰＰＡ再構成法は、ＳＭＡＳＨ再構成法、ＡＵＴＯ−ＳＭＡＳＨ再構成法、ＶＤ−ＡＵＴＯ−ＳＭＡＳＨ再構成法、ＳＥＮＣＥ再構成法あるいはＧＲＡＰＰＡ再構成法に基づいて行なわれることを特徴とする請求項１乃至５の１つに記載の方法。
【請求項７】
部分データセットの測定は、ｋ空間の下位単位の走査によって行なわれることを特徴とする請求項１乃至６の１つに記載の方法。
【請求項８】
ｎ個の部分データセットの場合、ｉ番目の部分データセット（ｉ＝１〜ｎ）が、ｉ番目の下位単位の最初の測定およびこれに続くそれぞれｎ−１個の下位単位の飛ばしによって行なわれることを特徴とする請求項７記載の方法。
【請求項９】
下位単位は、ライン、スパイラルアームまたは半径方向部分であることを特徴とする請求項７又は８記載の方法。
【請求項１０】
部分データセットの測定および変換並びに変換された部分データセットの重ね合わせは種々に行なわれ、アーチファクトの最も少ない最終結果が選ばれることを特徴とする請求項１乃至９の１つに記載の方法。
【請求項１１】
請求項１乃至１０の１つに記載の方法を実施するためのシステム。
【発明の詳細な説明】
【技術分野】
【０００１】
本発明は、一般的には、医学の分野において患者の検査に適用される核スピン断層撮影（磁気共鳴断層撮影（Ｍａｇｎｅｔｉｃ  Ｒｅｓｏｎａｎｃｅ  Ｔｏｍｏｇｒａｐｈｙ）と同義語であるので、以下では磁気共鳴断層撮影または略してＭＲＴとも呼ぶ。）に関する。特に、本発明は、アーチファクトのないもしくはアーチファクトの少ない断層像の取得をＳＮＲ（Ｓｉｇｎａｌ  ｔｏ  Ｎｏｉｓｅ  Ｒａｔｉｏ、信号雑音比）の損失なしに可能にする方法およびこの方法を実施するためのＭＲＴシステムに関する。
【背景技術】
【０００２】
ＭＲＴは核スピン共鳴の物理現象を基礎とし、画像形成方法として１５年以上前から医学や生物物理学の分野で成功裡に使用されている。この検査方法では、対象物は強力な一定磁場に曝される。それによりそれまで無規則に配列されていた対象物内の原子核スピンが整列する。
【０００３】
高周波はこの「整列した」核スピンを励起して特定の振動を起こさせる。ＭＲＴでは、この振動が適当な受信コイルにより受信される本来の測定信号を形成する。傾斜磁場コイルで作られた非均一な磁場を使用することによって、測定対象物は、３つの全空間方向に空間的にコード化される。この方法は撮像すべき断層の自由な選択を可能にし、それによって全ての方向における人体のスライス像を撮影することができる。医学的診断におけるスライス像取得法としてのＭＲＴは、まず第１に「非侵襲」の検査法として多面的なコントラスト能力が優れている。ＭＲＴは、軟組織の卓越した表示可能性により、Ｘ線コンピュータ断層撮影（ＣＴ）を何倍も勝っている方法に発展した。ＭＲＴは、今日では、分範囲の測定時間で抜群の画質を可能にするスピンエコーシーケンスおよびグラジエントエコーシーケンスの使用を基礎にしている。
【０００４】
ＭＲＴ装置の構成要素の絶え間ない技術的発展および高速の画像形成シーケンスの導入が、ＭＲＴに医学におけるますます多くの利用分野をもたらした。最小侵襲外科支援のためのリアルタイム画像形成、神経医学におけるファンクショナル画像形成、心臓学におけるパフュージョン測定はほんの僅かの例にすぎない。ＭＲＴ装置の構成における技術的進歩にもかかわらず、医学的診断におけるＭＲＴの多くの適用について、ＭＲＴ画像の撮像時間および信号雑音比（ＳＮＲ）を制限する要因が元のままである。
【０００５】
特に、対象物つまり対象物部分の主要な運動（血流、心臓運動、腹部蠕動など）をもたらすファンクショナル画像形成の場合、同じＳＮＲのままで撮像時間（データ取得時間）の短縮が望まれる。一般にＭＲＴ画像における運動はアーチファクト、例えば運動アーチファクトの原因となり、このアーチファクトがデータ取得時間の期間を長くする。画質を改善するために、多数の画像を取得しこれらを後で重ね合わせることが考えられた。しかしながら、これは、特に運動アーチファクトに関しては、画質全体の意図された改善をもたらすことはない。例えばＳＮＲを改善すれば、運動アーチファクトが増大する。
【０００６】
同じままのＳＮＲにおいて測定時間を短縮する手がかりは、取得すべき画像データの量を減らすことである。このような低減されたデータセットから完全な画像を得るためには、不足するデータが適当なアルゴリズムにより再構成されるか又は低減されたデータからの誤りのある画像が修正されなければならない。ＭＲＴにおけるデータ取得は、図２に従って、いわゆるｋ空間（同義語：周波数空間）において行なわれる。いわゆる画像空間におけるＭＲＴ画像２５はフーリエ変換２４によりｋ空間におけるＭＲＴデータ２３と結び付けられている。ｋ空間に広げられた対象物の位置エンコーディングは、３つの全空間方向における傾斜磁場によって行なわれる。２Ｄ画像形成の場合、スライス選択（対象物における撮影スライスを定め、通常はｚ軸である。）と、周波数エンコーディング（そのスライスにおける方向を定め、通常はｘ軸である）と、位相エンコーディング（そのスライスにおける第２の次元を定め、通常はｙ軸である）とが区別される。３Ｄ画像形成の場合、スライス選択が第２の位相エンコーディングによって行なわれる。一般性の制限なしに、更に別の過程で２次元のデカルトｋ空間が想定され、この空間がライン状に走査される。個々のｋ空間ラインのデータは、読出しの際に傾斜磁場により周波数エンコーディングされる。ｋ空間における各ラインは、位相エンコーディングステップによって発生させられる間隔Δｋｙを有する。位相エンコーディングは他の位置エンコーディングに比べて多くの時間を要求することから、大部分の方法、例えば更に別の過程で「ＰＰＡ（＝Ｐａｒｔｉａｌｌｙ  Ｐａｒａｌｌｅｌ  Ａｃｑｕｉｓｉｔｉｏｎ）」と呼ぶ所謂「部分的並列取得」は、画像測定時間の短縮のために、時間のかかる位相エンコーディングステップの回数低減を基礎としている。ＰＰＡ画像形成における基本的な考えは、ｋ空間データが１つの個別コイルではなく、図３に従って、例えばコンポーネントコイル（コイル１〜コイル４）の直線状配置、すなわちコイルアレイによって取得されることである。アレイの空間的に独立した各コイルは、同時に取得されたコイルデータ２６．１，２６．２，２６．３，２６．４の組み合わせを介して完全な位置エンコーディングを達成するために利用される特定の空間的情報を持っている。これは、唯一の撮影された（以下の図においてハッチングで示されている）ｋ空間ラインから、ｋ空間においてシフトされた多数の他の走査されない（以下の図において白色で示されている）ラインも求めることができる。
【０００７】
従って、ＰＰＡ法は、普通には位相傾斜磁場を使用して発生させる時間のかかる位相コーディングを部分的に置き換えるために、コイル装置の構成要素に含まれている空間的情報を利用する。それによって、低減されたデータセットのライン数と通常の（つまり完全な）データセットのライン数との比に応じて画像測定時間が短縮される。典型的なＰＰＡ取得は従来の取得に比べて位相エンコーディングラインの一部分（１／２，１／３，１／４，など）のみを取得する。不足するｋ空間ラインを再構成して、それりより完全な撮像視野（ＦＯＶ）の画像を少ない時間で得るために、特別な再構成がデータに適用される。
【０００８】
一般に代数的方法であるそれぞれの再構成方法はそれぞれのＰＰＡ技術に相当する。公知のＰＰＡ技術は、ＳＭＡＳＨ（Ｓｉｍｕｌｔａｎｅｏｕｓ  Ａｃｑｕｉｓｉｔｉｏｎ  ｏｆ  Ｓｐａｔｉａｌ  Ｈａｒｍｏｎｉｃｓ）、ＳＥＮＳＥ（Ｓｅｎｓｉｔｉｖｉｔｙ  Ｅｎｃｏｄｉｎｇ）およびＧＲＡＰＰＡ（Ｇｅｎｅｒａｌｉｓｅｄ  Ａｕｔｏｃａｌｉｂｒａｔｉｏｎ  ＰＰＡ）であり、それらのそれぞれの派生技術（Ｇ−ＳＭＡＳＨ，ＡＵＴＯ−ＳＭＡＳＨ−，ＶＤ−ＡＵＴＯ−ＳＭＡＳＨなど）を含む。
【０００９】
しかしながら、不足のあるｋ空間ラインの代数的再構成は、全てのＰＰＡ技術において、付加的に、（測定に関与させられる）各コンポーネントコイルのそれぞれのコイル感度の検出を必要とし、このことが図３において矢印２８によって表わされている。コイル感度を認識してはじめて、全てのｋ空間ラインの完全な再構成が可能であり、引き続き行なわれるフーリエ変換（矢印２７）によって位置空間における画像２５を得ることができる。
【００１０】
従来のＰＰＡ技術においては、いわゆるプリスキャンの形での測定開始時に、または所謂インテグレイティドスキャン２９（ＡＣＳライン、自動較正信号）の形での測定中に、所謂較正スキャンの測定によってコイル感度の検出が行なわれる。なお、スキャン２９は図４にｋマトリックス（ｋ空間スライス）の中間範囲における黒色のｋ空間ラインとして示されている。
【００１１】
確かにコイル感度は、僅かな較正スキャンラインのみによって好ましくは主にコントラスト情報を有するｋマトリックス中間範囲から良好に近似することができるが、それにもかかわらず較正スキャンラインの測定は取得時間全体を大幅に長引かせ、再構成された画像２５における運動アーチファクトの割合を高める。
【００１２】
従来技術は、較正スキャンラインの時間のかかる測定にもかかわらず同じＳＮＲのままで運動アーチファクトを抑制するかもしくは最小にする可能性を提供する。
【００１３】
この方法が図５に示されている。低い分解能の複数のＰＰＡシリーズ２６が時間的に相前後して取得される。図５には２つのシリーズ２６が示されている。それぞれＰＰＡ再構成に必要な較正スキャンライン２９が共に測定され、黒く表示されている。各シリーズは独自に低い分解能のために比較的僅かのＳＮＲを有するが、しかし、短い取得時間に基づいて各シリーズの運動アーチファクトも著しく低減されている。続いて、両シリーズからＰＰＡ再構成された画像を重ね合わせることによって、アーチファクトのはるかに少ない画像を作成することができ、重ね合わせによって元のＳＮＲが再び回復される。
【発明の開示】
【発明が解決しようとする課題】
【００１４】
しかしながら、この従来方法における欠点は、ＰＰＡ再構成に必要なコイル感度を検出できるようにするために、依然として各スライスに対してもしくは各シリーズに対して付加的に較正スキャンラインが測定されなければならないという事実にある。これはプリスキャンにもインテグレイティドスキャンにも当てはまる。従って、本発明の課題は、運動アーチファクトに関しても取得時間に関してもＰＰＡ再構成法に基づくＭＲＴ画像形成が改善される方法およびこの方法を実施するためのシステムを提供することにある。
【課題を解決するための手段】
【００１５】
この課題は、本発明によれば、独立請求項によって解決される。従属請求項は本発明の中心思想を特に有利に展開する。
【００１６】
従って、本発明によれば、部分的並列取得再構成法（ＰＰＡ再構成法）に基づくＭＲＴ画像形成方法において、
複数のコンポーネントコイルによりｋ空間の複数の部分データセットを作成し、部分データセットの全体は完全なｋ空間データセットを形成し、
完全なｋ空間データセットの少なくとも一部に基づいて各コンポーネントコイルのそれぞれのコイル感度を求め、
求められたコイル感度に基づいてＰＰＡ再構成法によって各部分データセットを位置空間に変換し、
アーチファクトの少ない画像データセットを得るために、変換された部分データセットを重ねる。
【００１７】
完全なｋ空間データセットは本発明によれば２次元または３次元の形を有する。
【００１８】
部分データセットは時間的に相前後して取得されると好ましい。
【００１９】
本発明によれば、部分データセットの測定は、各変換された部分データセットが独自に最小の運動アーチファクト、歪および信号損失のうちの少なくとも１つを有するように行なわれる。
【００２０】
コイル感度を求めるために、ｋ空間データセットの中間範囲が観察されると好ましい。
【００２１】
本発明による方法に使用可能なＰＰＡ再構成方法は、ＳＭＡＳＨ再構成法、ＡＵＴＯ−ＳＭＡＳＨ再構成法、ＶＤ−ＡＵＴＯ−ＳＭＡＳＨ再構成法、ＳＥＮＣＥ再構成法あるいはＧＲＡＰＰＡ再構成法である。
【００２２】
一般に、部分データセットの測定、従って完全なｋ空間データセットの発生は、本発明によれば、ｋ空間の下位単位の走査によって行なわれる。
【００２３】
ｋ空間の下位単位の走査は、本発明によれば、ｎ個の部分データセットの場合、ｉ番目の部分データセット（ｉ＝１〜ｎ）が、ｉ番目の下位単位の最初の測定およびこれに続くそれぞれｎ−１個の下位単位の飛ばしによって行なわれる。
【００２４】
下位単位は、ライン、スパイラルアームまたは半径方向部分によって表される。
【００２５】
本発明によれば且つ好ましくは、部分データセットの測定および変換並びに変換された部分データセットの重ね合わせは種々に行なわれ、アーチファクトの最も少ない最終結果が選ばれる。
【００２６】
更に、本発明による方法を実施するためのシステムが請求される。
【発明を実施するための最良の形態】
【００２７】
以下において、添付図面を参照しながら実施例に基づいて本発明の他の利点、特徴および特性を更に詳細に説明する。
図１は、本発明による方法を実施するための本発明によるＭＲＴ装置の概略構成図を示す。
図２は、ｋ空間において取得された画像のフーリエ変換によって位置空間における画像が得られるような従来の方法を概略的に示す。
図３は、４成分のＰＰＡデータセットをコイル感度の考慮の下に再構成し、フーリエ変換により位置空間における画像に変換する様子を概略的に示す。
図４は、付加的に撮影されＰＰＡ再構成に必要である３つの較正スキャンラインを有する４成分データセットを概略的に示す。
図５は、従来技術に基づいてＳＮＲ損失なしにＰＰＡを基礎とする運動アーチファクトの低減された画像取得方法を概略的に示す。
図６は、本発明による方法を概観図で示す。
図７は詳細ダイアグラムにより本発明による方法を示す。
【００２８】
図１は本発明による対象物の核スピン画像作成のための磁気共鳴画像形成装置つまり核スピン断層撮影装置の概略図を示す。この核スピン断層撮影装置の構成は従来の断層撮影装置の構成に相当する。静磁場磁石１は、例えば人体の検査部位の如き対象物の検査範囲における核スピンの分極つまり整列のための時間的に一定の強い磁場を発生する。核スピン共鳴測定に必要な静磁場の高い均一性は、人体の検査部位が挿入される球形の測定ボリュームＭにおいて規定されている。均一性要求を援助しかつ特に時間的に変化しない影響を除去するために、適当な個所に強磁性材料からなる所謂シム板が取付けられる。時間的に変化する影響はシム電源によって駆動されるシムコイル２によって除去される。
【００２９】
静磁場磁石１の中には、多数の巻線、所謂部分巻線からなる円筒状の傾斜磁場コイルシステム３が挿入されている。各部分巻線は、直交座標系のそれぞれの方向に直線性の傾斜磁場を発生するための電流を増幅器１４から供給される。傾斜磁場コイルシステム３の第１の部分巻線はｘ方向の傾斜磁場Ｇxを発生し、第２の部分巻線はｙ方向の傾斜磁場Ｇyを発生し、第３の部分巻線はｚ方向の傾斜磁場Ｇzを発生する。各増幅器１４は、傾斜磁場パルスを時間正しく発生させるためにシーケンス制御部１８によって駆動されるディジタル・アナログ変換器からなる。
【００３０】
ＭＲＴ装置により選択的に望ましいＰＰＡ測定の枠内において改善された信号雑音比（ＳＮＲ）も取得時間の著しい低減も得ることができるようにするために、今日では、特に位相エンコーディング方向（ｙ方向）において、１つの単独コイルを使用するのではなく、多数のコイルからなる装置を使用するのが標準である。これらの所謂コンポーネントコイルが結合されて１つのコイルアレイを構成し、相互に部分的に重なって配置され、それによって同様に部分的に重なるコイル画像を取得することができる。ＳＮＲの改善の際に撮像時間を長くしないようにする場合、コイルアレイのコイルは同時に受信しなければならない。従って、各コイルは既に述べたように前置増幅器、混合器およびアナログ・ディジタル変換器からなる専用の受信器を必要とする。このハードウェアは非常に高価であり、このことが実際にはアレイにおけるコイル数の制限をもたらす。現在のところ最大６個の個別コイルを有するアレイが通例である。
【００３１】
傾斜磁場コイルシステム３内には高周波アンテナ４がある。高周波アンテナ４は、高周波電力増幅器から送出された高周波パルスを、検査対象物つまり対象物の検査すべき範囲の核の励起および核スピンの整列のための交番磁場に変換する。高周波アンテナ４は、１つまたは複数の高周波送信コイルおよび複数の高周波受信コイルから既述のとりわけコンポーネントコイルの直線状配置の形で構成されている。高周波アンテナ４の高周波受信コイルによって、歳差運動をする核スピンから出る交番磁場、すなわち一般には１つまたは複数の高周波パルスと１つまたは複数の傾斜磁場パルスとからなるパルスシーケンスによって惹き起こされた核スピンエコー信号が電圧に変換され、この電圧は増幅器７を介して高周波システム２２の高周波受信チャネル８に導かれる。高周波システム２２は更に送信チャネル９を含み、この送信チャネル９において核磁気共鳴の励起のための高周波パルスが発生させられる。それぞれの高周波パルスは、装置コンピュータ２０からシーケンス制御部１８へ予め与えられるパルスシーケンスに基づいてディジタルにて複素数セットとして表示される。この複素数セットは実数部および虚数部としてそれぞれ入力端１２を介して高周波システム２２内のディジタル・アナログ変換器ＤＡＣに供給され、このディジタル・アナログ変換器ＤＡＣから送信チャネル９に供給される。送信チャネル９においては、パルスシーケンスが高周波キャリア信号に変調される。高周波キャリア信号は、測定ボリューム内の核スピンの共鳴周波数に相当する基本周波数を有する。
【００３２】
送信作動から受信作動への切換は送受信切換器６を介して行なわれる。高周波アンテナ４の高周波送信コイルは核スピンの励起のための高周波パルスを測定ボリュームＭ内へ照射し、その結果生じるエコー信号を高周波受信コイルを介して走査する。このようにして得られた核共鳴信号は高周波システム２２の受信チャネル８において位相敏感に復調され、それぞれのアナログ・ディジタル変換器ＡＤＣを介して測定信号の実数部および虚数部に変換され、出力端１１から出力される。画像コンピュータ１７によって、そのようにして得られた測定データから画像が再構成される。測定データ、画像データおよび制御プログラムの管理は装置コンピュータ２０を介して行なわれる。制御プログラムを予め与えられることにより、シーケンス制御部１８はその都度の所望パルスシーケンスの発生およびｋ空間の相応の走査を制御する。シーケンス制御部１８は、特に、傾斜磁場の時間正しいスイッチングと、定められた位相および振幅を持つ高周波パルスの送出と、核共鳴信号の受信とを制御する。高周波システム２２およびシーケンス制御部１８のための時間基準にシンセサイザ１９が使用される。核スピン画像の作成のための相応の制御プログラムの選択および作成された核スピン画像の表示は、キーボードおよび１つまたは複数の画面を含む端末装置２１を介して行なわれる。
【００３３】
本発明の場合、使用者は、複数のコンポーネントコイルを用いて、（デカルト走査の場合に）位相エンコーディング方向でのライン状走査の順序と、従ってｋ空間の異なる部分データセットへの測定されたｋ空間ラインの分配もしくはｋ空間の部分データセットの測定とを任意に予め設定し、その後他のステップにおいて、時間のかかる較正スキャンラインを取得することなしに、独自に不完全な各部分データセットのＰＰＡ再構成を行なうことができる。図６においては、ｋ空間の２つの部分データセット３０，３１が測定される。第１の部分データセット３０は選択されたｋ空間スライスの各奇数ライン（ライン１、ライン３、ライン５など）のみが時間的に連続して取得されることによって特徴づけられる。第２の部分データセット３１では各偶数ライン（ライン２、ライン４、ライン６など）のみが取得される。第１の部分データセット３０および第２の部分データセット３１は、全体としてｋ空間の完全なデータセット３２を構成する。部分的に重なり合っていない部分データセットへ測定を分離することによって、各部分データセットは、独自で、公知のＰＰＡ再構成法（ＳＭＡＳＨ，ＳＥＮＳＥ，ＧＲＡＰＰＡ）によりそれぞれ１つの完全なｋ空間データセットへ再構成され得るＰＰＡデータセットをなす。データセット３２の走査の時間的順序は、本発明によれば、各部分データセットが独自に最小の運動アーチファクトを有するように選択されるので、それぞれのＰＰＡ再構成に基づいて、再構成された両部分データセットが組み合わされて１つの画像を構成することができる。この画像は、最終的にＳＮＲの損失なしに最小の運動アーチファクトを有する。部分的な重なりのない部分データセットへの本発明による区分は、ＰＰＡ再構成に必要なコイル感度の算出を、そのためにことさら較正スキャンラインを取得する必要なしに可能にし、このことは最終的に著しく短い取得時間をもたらす。
【００３４】
図７の例に基づいて本発明による方法を更に詳細に説明する。
【００３５】
全体として最短の測定時間で、運動アーチファクトを最小化された、検査すべき患者の身体断層の画像を、最大可能なＳＮＲで取得ることが目標である。このためにＭＲＴ装置は、本発明によれば、ｋ空間におけるスライスの走査が完全なｋ空間データセットをもたらすように構成され、この完全なｋ空間データセットは時間的に相前後して測定されたＰＰＡ再構成可能な部分データセットからなる。部分データセットへの理論上もしくは計算上の分割は、本来の測定の後に続く。図７においては、デカルトの（ライン状に走査された）完全なデータセット３２を３つの部分データセット３４，３５，３６へ分割することが実現され、これらの部分データセットはそれぞれ異なる直線種類によって示されている。時間的な取得パターンは完全なデータセット３２の右側に描かれている。
【００３６】
装置コンピュータ２０はシーケンス制御部１８を、本発明に従ってまず、選択されたスライス３２の実線ライン３４．１，３４．２，３４．３が測定されるように制御する。この取得の時間経過は右側の時間的な取得パターンにおいてヒストグラムに基づいて描写されている。二重矢印３４．ｘは第１の（部分）データセットのこの第１の部分測定に必要な全期間を表わしている。これに直ぐに続いて破線ライン３５．１，３５．２，３５．３が取得される。更にこの部分測定は３５．ｘの時間を要する。この例では最後になる鎖線ライン３６．１，３６．２，３６．３の部分測定はデータセット３２を完全なものにし、全測定時間（二重矢印３４．１−３６．３）の時間終点３６．３を定める。
【００３７】
これらの部分測定は、それぞれ時間的に連続する部分データセット３４，３５，３６をもたらす。これらの部分データセット３４，３５，３６は、それらの走査パターン（それぞれ２つ飛ばしたｋ空間ラインを有するライン状のｋ空間定角軌道）に基づいて、それぞれ独自で固有のＰＰＡデータセットをなす。完全なデータセット３２の取得時間に比べた各部分データセットの取得時間の低減はそれぞれの部分データセットにおける運動アーチファクトの同じくらい顕著な低減を生じさせる。
【００３８】
各部分データセット３２のＰＰＡ形式の走査パターンに基づいて、全ての部分データセットを代数的に完全なデータセットに再構成し、続いてフーリエ変換３７により位置空間における完全な画像３８，３９，４０に変換することができる。
【００３９】
可能な再構成法は従来のＰＰＡ技術（例えばＳＭＡＳＨ，ＳＥＮＳＥ，ＧＲＡＰＰＡ）を基礎としている。ＰＰＡ再構成に必要な当該コンポーネントコイルの感度に関する情報は、本発明によれば、同様に取得された部分データセットの組み合わせから代数的に生じる。一般に、完全なデータセット３２の中間範囲４２における隣接ライン３４．２，３５．２，３６．２の観察が感度の良好な近似にとって十分である。較正スキャンの時間のかかる測定は必要でない。そのようにして得られた位置空間データセット３８，３９，４０を重ね合わせるもしくは組み合わせて唯一のデータセット４１を形成することによって、一方では画像アーチファクトをほとんど持たず、しかも重ね合わせによって回復された比較的高いＳＮＲを有する画像が得られる。
【００４０】
以上要約すると次のとおりである。
【００４１】
完全なＭＲＴ画像の全取得は、一部変更され事情によっては解剖学的な運動に合わせられた画像形成シーケンスによって、アーチファクトの低減された部分取得に分解され、これらの部分取得がそれぞれＰＰＡ技術により完全画像に再構成される。ＰＰＡ再構成に必要である検出器感度もしくはコイル感度の情報は、個々の各部分画像（とりわけｋ空間データセットの中間範囲）の生データの組み合わせによって得られる。そのための前提条件は、個々の部分データセットの取得が、本発明に従って、部分データセットの合計がｋ空間上に部分的に重ならないが、しかし全体として完全に覆うように行なわれることである。各部分データセット自体は低下した信号雑音比を有するが、しかしこれは完全画像全体への再組み合わせによって回復される。
【図面の簡単な説明】
【００４２】
【図１】本発明による方法を実施するための本発明によるＭＲＴ装置の概略構成図
【図２】ｋ空間において取得された画像のフーリエ変換によって位置空間における画像が得られる従来の方法の概略説明図
【図３】４成分のＰＰＡデータセットをコイル感度の考慮の下に再構成し、フーリエ変換により位置空間における画像に変換する様子を示す概略説明図
【図４】付加的に撮影されＰＰＡ再構成に必要である３つの較正スキャンラインを有する４成分データセットを示す概略説明図。
【図５】従来技術に基づいてＳＮＲ損失なしにＰＰＡを基礎とする運動アーチファクトの低減された画像取得方法を示す概略説明図
【図６】本発明による方法の概略説明図
【図７】本発明による方法の詳細説明図
【符号の説明】
【００４３】
１        静磁場
２        シムコイル
３        傾斜磁場システム
４        高周波アンテナ
５        対象物寝台
６        送受信切換器
７        前置増幅器
８        高周波受信チャネル
９        送信チャネル
１１        出力端
１２        入力端
１７        画像コンピュータ
１８        シーケンス制御部
１９        シンセサイザ
２０        装置コンピュータ
２１        端末装置
２２        高周波システム
２３        完全なｋ空間データセット
２４        フーリエ変換
２５        位置空間における完全な再構成画像
２６        ｋ空間における部分データセット
２７        ＰＰＡ再構成法
２８        コイル感度情報
２９        較正スキャンライン
３０        ｋ空間における第１の部分データセット
３１        ｋ空間における第２の部分データセット
３２        定められたライン走査順序を有する完全なｋ空間データセット
３３        部分データセットへの分割
３４        第１の部分データセット
３４．１    第１の部分データセットの第１の測定ライン
３４．２    第１の部分データセットの第２の測定ライン
３４．３    第１の部分データセットの第３の測定ライン
３５        第２の部分データセット
３５．１    第２の部分データセットの第１の測定ライン
３５．２    第２の部分データセットの第２の測定ライン
３５．３    第２の部分データセットの第３の測定ライン
３６        第３の部分データセット
３６．１    第３の部分データセットの第１の測定ライン
３６．２    第３の部分データセットの第２の測定ライン
３６．３    第３の部分データセットの第３の測定ライン
３７        コイル感度に基づくＰＰＡ再構成法およびこれに続くフーリエ変換
３８        位置空間における第１の部分データセットの画像
３９        位置空間における第２の部分データセットの画像
４０        位置空間における第３の部分データセットの画像
４１        画像３８，３９，４０からなる重ね合わせの平均化画像
４２        中間のｋ空間範囲
４３        ＰＰＡ再構成におけるコイル感度の考慮
【図１】
0004613051.tif 000002
【図２】
0004613051.tif 000003
【図３】
0004613051.tif 000004
【図４】
0004613051.tif 000005
【図５】
0004613051.tif 000006
【図６】
0004613051.tif 000007
【図７】
0004613051.tif 000008